(57)【要約】【課題】  収納棚自体を分解することなく収納棚の用途の多様化を図る。【解決手段】  それぞれ所定の間隔をあけて配置された隣り合う少なくとも２枚の側板を有する収納棚に対して組み付けられる組み付け家具である。組み付け家具は、少なくとも２枚の側板間に水平に配置される載置部と、載置部を支持する支持部とを備えている。載置部は、少なくとも２枚の側板のうち、少なくとも一方の側板に着脱自在に嵌合するスリットを備え、スリットが一方の側板に取り付けられた際には載置部の一部が側板から張り出している。【選択図】図２
2014097239.tif 000002
【特許請求の範囲】
【請求項１】
それぞれ所定の間隔をあけて配置された隣り合う少なくとも２枚の側板を有する収納棚に対して組み付けられる組み付け家具であって、
前記少なくとも２枚の側板間に水平に配置される載置部と、
前記載置部を支持する支持部とを備え、
前記載置部は、前記少なくとも２枚の側板のうち、少なくとも一方の側板に着脱自在に嵌合するスリットを備え、前記スリットが前記一方の側板に取り付けられた際には前記載置部の一部が前記側板から張り出すことを特徴とする組み付け家具。
【請求項２】
請求項１記載の組み付け家具において、
前記載置部は、前記少なくとも２枚の側板間に架け渡された棚板上に組み付けられていることを特徴とする組み付け家具。
【請求項３】
請求項１又は２に記載の組み付け家具において、
前記支持部は、前記載置部の下面から延在し、前記スリットが嵌合する前記側板に当接することで前記載置部を支持していることを特徴とする組み付け家具。
【請求項４】
請求項１又は２に記載の組み付け家具において、
前記支持部は、前記載置部の下面から延在し床面に当接することで前記載置部を支持していることを特徴とする組み付け家具。
【請求項５】
請求項４記載の組み付け家具において、
複数の前記載置部を前記側板に対して階段状に配置し、
前記複数の前記載置部のそれぞれに前記支持部を設けることを特徴とする組み付け家具。
【請求項６】
請求項１記載の組み付け家具において、
前記載置部は、前記少なくとも２枚の側板の内側面に取り付けられたダボによって組み付けられていて、
前記載置部の下面には、ハンガーパイプが取り付けられていることを特徴とする組み付け家具。
【発明の詳細な説明】
【技術分野】
【０００１】
本発明は、組み付け家具に係り、特に収納棚に対して組み付け自在な家具に関する。
【背景技術】
【０００２】
例えば床面から天井までの高さを有する複数の側板が所定の間隔をあけて立設されていて、これら複数の側板の上端部間に天井に当接する天板が取り付けられるとともに、複数の側板の下端部間に床面に当接する地板が取り付けられ、さらに複数の側板間にこれら複数の側板間に架け渡される棚板が上下方向に間隔をあけて複数取り付けられた収納棚が知られている（例えば特許文献１参照）。
【先行技術文献】
【特許文献】
【０００３】
【特許文献１】特開２００８−２７９１１５号公報
【発明の概要】
【発明が解決しようとする課題】
【０００４】
上述した収納棚は一度設置してしまうと棚板の配置を変える程度の変更しか容易にはできず、収納棚の用途を多様化するためになんらかの改造を加えるとなると一旦全てを分解しなければならないのが実状である。
このため、本発明の課題は、収納棚自体を分解することなく収納棚の用途の多様化を図ることである。
【課題を解決するための手段】
【０００５】
請求項１記載の発明は、例えば図２に示すように、
それぞれ所定の間隔をあけて配置された隣り合う少なくとも２枚の側板１１を有する収納棚１に対して組み付けられる組み付け家具２であって、
前記少なくとも２枚の側板１１間に水平に配置される載置部３と、
前記載置部３を支持する支持部４とを備え、
前記載置部３は、前記少なくとも２枚の側板１１のうち、少なくとも一方の側板１１に着脱自在に嵌合するスリット３１を備え、前記スリット３１が前記一方の側板に取り付けられた際には前記載置部の一部が前記側板から張り出すことを特徴としている。
【０００６】
請求項１記載の発明によれば、載置部３のスリット３１内に側板１１を嵌合させることで、収納棚１に載置部３を組み付けることができる。スリット３１が側板１１に取り付けられると載置部３の一部が側板から張り出すことになり、この張り出した部分を例えば机のような用途や、イスや台座のような用途として使用することができる。このように、収納棚１自体を分解しなくとも収納棚１の用途の多様化を図ることが可能となる。
【０００７】
請求項２記載の発明は、例えば図２に示すように、請求項１記載の組み付け家具２において、
前記載置部３は、前記少なくとも２枚の側板１１間に架け渡された棚板１４上に組み付けられていることを特徴としている。
【０００８】
請求項２記載の発明によれば、棚板１４上に載置部３が組み付けられているので、載置部３を支持する支持面積を大きくすることができ、載置部３の安定性を高めることができる。
【０００９】
請求項３記載の発明は、例えば図２に示すように、請求項１又は２に記載の組み付け家具２において、
前記支持部４は、前記載置部３の下面から延在し、前記スリット３１が嵌合する前記側板１１に当接することで前記載置部３を支持していることを特徴としている。
【００１０】
請求項３記載の発明によれば、支持部４が、載置部３の下面から延在し、スリット３１が嵌合する側板１１に当接しているので、支持部４が床面１００上に当接しないこととなり、載置部３の下方のスペースを確保することができる。
【００１１】
請求項４記載の発明は、例えば図１０に示すように、請求項１又は２に記載の組み付け家具２Ｅにおいて、
前記支持部４ｅは、前記載置部３ｅの下面から延在し床面１００に当接することで前記載置部３ｅを支持していることを特徴としている。
【００１２】
請求項４記載の発明によれば、支持部４ｅが、載置部３ｅの下面から延在し床面１００に当接しているので、載置部３ｅの重量を支持部４ｅを介して床面１００で支えることができる。したがって、載置部３ｅを安定して支持することができる。
【００１３】
請求項５記載の発明は、例えば図１１に示すように、請求項４記載の組み付け家具２Ｆにおいて、
複数の前記載置部３ｆを前記側板１１に対して階段状に配置し、
前記複数の前記載置部３ｆのそれぞれに前記支持部４ｆを設けることを特徴としている。
【００１４】
請求項５記載の発明によれば、側板１１に対して階段状に配置された複数の載置部３ｆが、それぞれ床面１００まで延在する支持部４ｆによって支持されているので、複数の載置部３ｆを階段として使用することも可能となる。
【００１５】
請求項６記載の発明は、例えば図１５及び図１６に示すように請求項１記載の組み付け家具において、
前記載置部３ｉは、前記少なくとも２枚の側板１１の内側面に取り付けられたダボ１７ｈによって組み付けられていて、
前記載置部３ｉの下面には、ハンガーパイプ９ｉが取り付けられていることを特徴としている。
【００１６】
請求項６記載の発明によれば、載置部３ｉの下面にハンガーパイプ９ｉが取り付けられているので、収納棚１の用途をより多様化することができる。
【発明の効果】
【００１７】
本発明によれば、収納棚自体を分解することなく収納棚の用途の多様化を図ることができる。
【図面の簡単な説明】
【００１８】
【図１】本実施形態に係る組み付け家具の概略構成を示す正面図である。
【図２】図１におけるII−II線から見た上面図である。
【図３】図１におけるIII−III線から見た側面図である。
【図４】変形例１の組み付け家具の概略構成を示す上面図である。
【図５】変形例２の組み付け家具の概略構成を示す上面図である。
【図６】変形例３の組み付け家具の概略構成を示す上面図である。
【図７】変形例４の組み付け家具の概略構成を示す斜視図である。
【図８】変形例５の組み付け家具の概略構成を示す正面図である。
【図９】図８におけるIX−IX線から見た上面図である。
【図１０】図８におけるX−X線から見た側面図である。
【図１１】変形例６の組み付け家具の概略構成を示す斜視図である。
【図１２】変形例６における組み付け家具の他の配置例を示す斜視図である。
【図１３】変形例７の組み付け家具の概略構成を示す側面図である。
【図１４】図１３に示す組み付け家具の上面図である。
【図１５】変形例８の組み付け家具の概略構成を示す側面図である。
【図１６】変形例９の組み付け家具の概略構成を示す説明図であり、（ａ）は斜視図、（ｂ）は上面図である。
【図１７】設置例１の概略構成を示す住宅の２階の間取り図である。
【図１８】図１７の２階の上部に設けられたロフトの間取り図である。
【図１９】設置例２の概略構成を示す住宅の２階の間取り図である。
【図２０】図１９の２階の上部に設けられたロフトの間取り図である。
【発明を実施するための形態】
【００１９】
以下、図面を参照して本発明の実施の形態について説明する。
図１は本実施形態に係る組み付け家具の概略構成を示す正面図であり、図２は図１におけるII−II線から見た上面図、図３は図１におけるIII−III線から見た側面図である。これら図１〜図３に示すように、収納棚１に対して組み付け家具２が組み付けられている。
【００２０】
収納棚１には、床面１００から天井１０１までの高さを有する複数の側板１１が所定の間隔をあけて立設されている。これら複数の側板１１の上端部間には、天井１０１に当接する天板１２が取り付けられている。一方、複数の側板１１の下端部間には、床面１００に当接する地板１３が取り付けられている。そして、複数の側板１１間にこれら複数の側板１１間に架け渡される棚板１４が上下方向に間隔をあけて複数取り付けられている。
【００２１】
組み付け家具２は、収納棚１の少なくとも３枚の側板間に水平に配置される載置部３と、載置部３を支持する支持部４とを備えている。
載置部３は、上面視略矩形状の板材であり、幅Ｗが隣り合う３枚の側板１１のうち外側にある２枚の側板１１の間隔と同じ長さに設定され、奥行きＬが側板１１の奥行きよりも長く設定されている。そして、載置部３には、隣り合う３枚の側板１１のうち中央の側板１１に着脱自在に嵌合するスリット３１が形成されている。このスリット３１に中央の側板１１が嵌合すると、載置部３のスリット３１が形成されていない領域が収納棚１から張り出すことになる。
【００２２】
支持部４は、略直角三角形状に形成されていて、載置部３の下面におけるスリット３１の延長線上に固定されている。そして支持部４は、載置部３の下面から延在し、スリット３１が嵌合する側板１１にその一辺が当接している。これにより、載置部３が支持部４を介して側板１１により支持されることになる。
【００２３】
次に、組み付け家具２の組み付け方法について説明する。
作業者は、設置したい高さの棚板１４に対して組み付け家具２を取り付ける。具体的には、隣り合う３枚の側板１１のうち、中央の側板１１に対して載置部３のスリット３１を嵌合させるとともに、設置したい高さの棚板１４上に載置部３を設置する。これにより、支持部４の一辺も側板１１に当接するため、安定して組み付け家具２を収納棚１に組み付けることができる。
【００２４】
以上のように、本実施形態によれば、載置部３のスリット３１内に側板１１を嵌合させることで、収納棚１に載置部３を組み付けることができる。スリット３１が側板１１に取り付けられると載置部３の一部が側板から張り出すことになり、この張り出した部分を例えば机のような用途や、イスや台座のような用途として使用することができる。このように、収納棚１自体を分解しなくとも収納棚１の用途の多様化を図ることが可能となる。
【００２５】
また、棚板１４上に載置部３が組み付けられているので、載置部３を支持する支持面積を大きくすることができ、載置部３の安定性を高めることができる。
また、支持部４が、載置部３の下面から延在し、スリット３１が嵌合する側板１１に当接しているので、支持部４が床面１００上に当接しないこととなり、載置部３の下方のスペースを確保することができる。
【００２６】
なお、本発明は上記実施形態に限らず適宜変更可能である。以下、変形例について説明するが、上記実施形態と同一の部分においては同一の符号を付しその説明を省略する。
【００２７】
［変形例１］
上記実施形態では、組み付け家具２が隣り合う３枚の側板１１間に組み付けられている場合を例示して説明したが、この変形例１では隣り合う２枚の側板１１間に組み付け家具２Ａが組み付けられている場合について説明する。
図４は変形例１の組み付け家具２Ａの概略構成を示す上面図である。図４に示すように組み付け家具２Ａにおける載置部３のスリット３１は、収納棚１の最も外側の側板１１に嵌合している。同様に、支持部４は、スリット３１が嵌合する側板１１に当接している。これにより、載置部３の略半分を収納棚１よりも外側へ張り出すことができ、設置パターンの自由度を高めることができる。
【００２８】
［変形例２］
上記実施形態では、載置部３のスリット３１が１つだけ設けられている組み付け家具２を例示して説明したが、この変形例２では複数のスリットを有する組み付け家具２Ｂについて説明する。
図５は変形例２の組み付け家具２Ｂの概略構成を示す上面図である。図５に示すように組み付け家具２Ｂにおける載置部３ｂは、幅Ｗ１が隣り合う４枚の側板１１のうち外側にある２枚の側板１１の間隔と同じ長さに設定されている。そして、載置部３ｂには、隣り合う４枚の側板１１のうち内側２枚の側板１１に着脱自在に嵌合する２つのスリット３１ｂが形成されている。そして、載置部３ｂの下面における各スリット３１ｂの延長線上には、支持部４ｂが固定されている。
そして、２つのスリット３１ｂのそれぞれに内側２枚の側板１１を嵌合させて、支持部４ｂの一辺も側板１１に当接させることで、組み付け家具２Ｂが収納棚１に組み付けられる。このようにスリット３１ｂが複数であると載置部３ｂをより大型にすることが可能である。
なお、収納棚１の側板数や、大きさに応じてスリット３１ｂの設置個数や、載置部３ｂの大きさ等は任意に変更自在であることは言うまでもない。
【００２９】
［変形例３］
図６は、変形例３の組み付け家具２Ｃの概略構成を示す上面図である。上記実施形態では、載置部３の幅Ｗが隣り合う３枚の側板１１のうち外側にある２枚の側板１１の間隔と同じ長さで均一に形成されている場合を例示して説明した。この変形例３の組み付け家具２Ｃでは図６に示す通り、中央の側板１１とスリット３１ｃとを嵌合させた際に、載置部３ｃの外側縁部３３ｃが外側の２枚の側板１１の外面１１ｃと面一となるように当該外側縁部３３ｃを段階状に形成している。
これにより、組み付け家具２Ｃと収納棚１との統一感或いは一体感を阻害することなく、載置部３ｃの載置面積を拡げることができる。
さらに、スリット３１ｃの延長線上だけでなく、階段状部分にも支持部４ｃを取り付けることができるので、載置部３ｃの安定性をより高めることができる。
【００３０】
［変形例４］
図７は、変形例４の組み付け家具２Ｄの概略構成を示す斜視図である。上記実施形態では、載置部３が単なる板材である場合を例示して説明した。この変形例４の組み付け家具２Ｄでは図７に示す通り、載置部３ｄにおける収納棚１から突出する部分に引き出し６及び当該引き出し６を収納する収納部７を設けている。収納部７の背面は、隣り合う３枚の側板１１にそれぞれ当接するようになっている。つまり、変形例４においては収納部７が支持部として機能する。
【００３１】
［変形例５］
図８は変形例５の組み付け家具２Ｅの概略構成を示す正面図であり、図９は図８におけるIX−IX線から見た上面図、図１０は図８におけるX−X線から見た側面図である。
上記実施形態では、支持部４が中央の側板１１に当接することで載置部３を支持している場合を例示して説明した。この変形例４に示す組み付け家具２Ｅでは、図８〜図１０に示す通り、収納棚１に組み付けられた載置部３ｅの下面から支持部４ｅが延在し床面１００に当接することで載置部３ｅを支持している。
具体的に説明すると、変形例５における支持部４ｅは、載置部３ｅの下面であってスリット３１とは反対側の端部に取り付けられている。支持部４ｅは載置部３ｅと同幅に形成され、床面１００まで延在する板材である。また、載置部３ｅの裏面におけるスリット３１の延長線上には、矩形板状の補強梁３５が支持部４ｅまで延在している。
なお、変形例５の載置部３ｅは変形例１の載置部３ａよりも大型になっているために、通常の棚板１４とは異なり台形状に外側へ張り出した専用の棚板１４ｅを予め３枚の側板１１の間に設置している。この棚板１４ｅには、中央の側板１１に係合するスリット１４１が設けられている。また、載置部３ｅの下面の補強梁３５ｅには、専用の棚板１４ｅの先端部が嵌合するスリット３６ｅが奥行き方向に沿って形成されている。
【００３２】
このように支持部４ｅが、載置部３ｅの下面から延在し床面１００に当接しているので、載置部３ｅの重量を支持部４ｅを介して床面１００で支えることができる。したがって、載置部３ｅを安定して支持することができる。安定して支持することができれば、載置部３ｅ自体を大きくすることも可能である。
なお、変形例５では、支持部４ｅとして板状の支持部４ｅを例示して説明したが、支持部４ｅの形状としてはこれに限定されず、例えば棒材であってもよい。また、載置部３ｅの安定性を確保する上で複数の支持部４ｅを設置してもよいし、載置部３ｅに対する支持部４ｅの設置箇所も如何様でもよい。
【００３３】
［変形例６］
図１１は変形例６の組み付け家具２Ｆの概略構成を示す斜視図である。
変形例５では、１つの収納棚１に対して一組の載置部３ｅ及び支持部４ｅを組み付けた場合を例示して説明したが、この変形例６では１つの収納棚１に対して複数組の載置部及び支持部を組み付けた場合について説明する。
なお、変形例６の組み付け家具２Ｆである複数組の載置部３ｆ及び支持部４ｆは、基本的な構成は変形例５の載置部３ｅ及び支持部４ｅと同じであるが、各組の支持部４ｆが全て異なる高さとなっている。そして、各支持部４ｆの高さに対応する位置となるように、複数の載置部３ｆを側板１１に対して階段状に配置する。このとき、図１１に示す通り上面視で複数の載置部３ｆが重ならないように配置してもよいし、図１２に示す通り上面視で複数の載置部３ｆが重なるように配置してもよい。
このように側板１１に対して階段状に配置された複数の載置部３ｆが、それぞれ床面１００まで延在する支持部４ｆによって支持されているので、複数の載置部３ｆを階段として使用することも可能となる。
【００３４】
［変形例７］
この変形例７では、より機能的な載置部を例示して説明する。
図１３は変形例７の組み付け家具２Ｇの概略構成を示す側面図であり、図１４は組み付け家具２Ｇの上面図である。変形例７では、載置部３ｇに対してシステムキッチンを適用した場合を例示している。載置部３ｇ及び支持部４ｇは、変形例５の載置部３ｅ及び支持部４ｅと基本的な構成は同じである。支持部４ｇに加えて、載置部３ｇの両側部にも板状の支持部４１ｇ，４２ｇが設けられている。これら支持部４ｇ，４１ｇ，４２ｇによって載置部３ｇの下方領域が閉塞されている。そして、この変形例５の載置部３ｇにおいては、シンク９が収納棚１側に配置されていて、コンロ１０が収納棚１とは反対側に配置されている。これにより、コンロ１０で発せられた熱量が収納棚１に悪影響を及ぼすことを防止している。
【００３５】
［変形例８］
上記実施形態では、載置部３が棚板１４に載置されている場合を例示して説明したが、この変形例８ではダボによって載置部が支持された組み付け家具２Ｈについて説明する。
図１５は、変形例８の組み付け家具２Ｈの概略構成を示す側面図である。この組み付け家具２Ｈの載置部３ｈには、その下面の両端部に、ダボ１７ｈが係合する一対の凹部３５ｈが形成されている。ダボ１７ｈは側板１１に設けられた多数のダボ穴１８ｈのうち、所定の高さのダボ穴１８ｈに取り付けられる。このダボ１７ｈに載置部３ｈの凹部３５ｈが係合することで、載置部３ｈが所定の高さで支持されることになる。
【００３６】
［変形例９］
変形例８では、組み付け家具２Ｈが机型である場合を例示して説明したが、この変形例９では洋服の収納用途に用いられる組み付け家具２Ｉについて説明する。
図１６は、変形例９の組み付け家具２Ｉの概略構成を示す説明図であり、（ａ）は斜視図、（ｂ）は上面図である。この組み付け家具２Ｉの載置部３ｉは、図示はしていないものの変形例８と同様にダボを介して側板１１に支持されている。また、載置部３ｉの下面にはハンガーパイプ９ｉが幅方向に沿って取り付けられている。載置部３ｉは、中央の側板１１と、スリット３１ｉとを嵌合させた際に、載置部３ｉの外側縁部３３ｉが外側の２枚の側板１１の外面１１ｉと面一となるように当該外側縁部３３ｉを段階状に形成している。そして、この階段状部分に支持部４ｉを取り付けることで、載置部３ｉの安定性を確保している。
このように載置部３ｉの下面にハンガーパイプ９ｉが取り付けられているので、収納棚１の用途をより多様化することができる。
【００３７】
［設置例１］
次に、住宅に対して組み付け家具２を組み付けた場合について説明する。図１７は住宅の２階の間取り図であり、図１８は２階の上部に設けられたロフトの間取り図である。この図１７及び図１８に示す住宅２００では、両親用の主寝室２０１と、オープン棚２０２により間仕切りがされた子ども部屋２０３と、主寝室２０１、子ども部屋２０３、一階に繋がる階段２０４及びロフトに繋がる階段２０５に連続する共用スペース２０６とが設けられている。ロフトと２階は吹き抜け２０７を介して連続している。
また、共用スペース２０６には掃き出し窓２１１を介してバルコニー２１２が隣接している。
【００３８】
共用スペース２０６の対向する壁には、それぞれ収容棚１が配置されている。ここで、一方の収容棚１には、本実施形態の組み付け家具２が２つ組み付けられている。また、他方の収容棚１には、変形例５の組み付け家具２Ｅが組み付けられている。例えば、組み付け家具２側を子ども専用の机とし、組み付け家具２Ｅ側を両親用の机と設定することで、共用スペース２０６であっても家族それぞれの指定席が確保され、共用スペース２０６に自然と集まりやすい環境を提供することができる。また、共用スペース２０６というある程度閉じた空間内に家族それぞれの指定席があれば、家族が一緒に勉強や会話をすることができ、対話や共同作業も円滑に行うことが可能である。
さらに、共用スペース２０６に複数の収容棚１が配されているので、家族が集まるスペースに個人の嗜好に基づく書籍や作品を多数展示することができる。この展示物をきっかけに家族間の話題を提供することができる。
また、バルコニー２１２に洗濯物を干す際には、共用スペース２０６及び掃き出し窓２１１を通過する必要があるため、共用スペース２０６にいる子ども達の様子を家事の途中に自然と伺うことができる。
そして、バルコニー２１２が共用スペース２０６に隣接し、その共用スペース２０６にロフトに繋がる階段２０５が連続しているために、バルコニー２１２とロフト間で荷物を移動する際の動線が短くなり、両者間の荷物の搬送に便利である。
【００３９】
［設置例２］
設置例１では、いずれの組み付け家具２，２Ｅも机として用いられる場合を例示して説明したが、この設置例２では、机として用いられる組み付け家具２に加えて、変形例６の組み付け家具２Ｆを用いて階段を形成した場合について説明する。なお、以下の説明において設置例１と同じ箇所においては同一の符号を付してその説明を省略する。
【００４０】
図１９は設置例２における住宅の２階の間取り図であり、図２０は２階の上部に設けられたロフトの間取り図である。変形例６の組み付け家具２Ｆが組み付けられる収納棚１に対しては、所定の間隔をあけて別の収納棚１も配置されている。なお、建物ユニットを用いた住宅である場合、２つの収納棚を建物ユニット内に収まるように設計しておけば、予め工場で２つ収納棚１を組み込んで出荷することも可能である。図１９においては、４つの柱２２０が１つの建物ユニットの範囲を示している。そして、図１９における二点鎖線Ｌ１が１つの建物ユニットの梁を示しているが、この二点鎖線Ｌ１からはみ出さないように２つの収納棚１が設けられている。
そして、これら２つの収納棚１の間にロフトに繋がる階段２０８が形成される。具体的には、階段２０８における下から２つの段部が、組み付け家具２Ｆにより形成されている。他方、階段２０８の上から２つの段部は、両端部にスリット３１ｊを有する載置部３ｊを備えた組み付け家具２Ｊである。この載置部３ｊの両端部のスリット３１ｊを、互いに対向する収納棚１の側板１１に嵌合させることにより、収納棚１間に載置部３ｊが架け渡されている。なお、階段８の踏み板がロフトまで達しない場合には、必要に応じて梯子などを設置すればよい。階段８の踏み板を増やすことももちろん可能である。
そして、図１９に示すようにロフトには、階段２０８を連通させる吹き抜け２１０が設けられている。
また、互いに対向する収納棚１からは背板が取り外されていて、収納棚１の表面側或いは背面側からも展示物が見られるようになっている。また、階段２０４と共用スペース２０６との間の壁２０９も収納棚１よりも低く形成されているために、階段２０４側からも収納棚１の展示物が見られるようになっている。さらに、壁２０９の上方空間及び収納棚１を介して階段２０４と階段２０８とが連通するために、ロフトの天井に設けられた天窓２１３と階段２０４とも連通することになる。したがって、一階からの空気を天窓２１３まで通気することが可能となる。
【符号の説明】
【００４１】
１      収納棚
２      組み付け家具
３      載置部
４      支持部
１１      側板
１４      棚板
３１      スリット
１００      床面
１０１      天井
【図１】
2014097239.tif 000003
【図２】
2014097239.tif 000004
【図３】
2014097239.tif 000005
【図４】
2014097239.tif 000006
【図５】
2014097239.tif 000007
【図６】
2014097239.tif 000008
【図７】
2014097239.tif 000009
【図８】
2014097239.tif 000010
【図９】
2014097239.tif 000011
【図１０】
2014097239.tif 000012
【図１１】
2014097239.tif 000013
【図１２】
2014097239.tif 000014
【図１３】
2014097239.tif 000015
【図１４】
2014097239.tif 000016
【図１５】
2014097239.tif 000017
【図１６】
2014097239.tif 000018
【図１７】
2014097239.tif 000019
【図１８】
2014097239.tif 000020
【図１９】
2014097239.tif 000021
【図２０】
2014097239.tif 000022